(57)【特許請求の範囲】
【請求項１】
側枠を構成する前後部の縦杆の対向面に複数の受孔を縦方向に列設し、前記１対の側枠の対向する受孔に同じ高さ位置において受けピンを嵌挿して前記前後部縦杆の対向面から突出させ、前記対向面の一方から突出する受けピンを、前記１対の側枠間に配設した棚板の前後いずれか一方の面に設けた挿入孔に挿入し、かつ前記対向面の他方のものから突出する受けピン上に、前記棚板の前後いずれか他方の端部を載置したことを特徴とする陳列棚。
【請求項２】
側枠を後部縦杆を中心とした側面視対称形とし、前後両面をそれぞれ陳列面とした請求項１記載の陳列棚。
【請求項３】
側枠の外側に取り付けるサイドパネルの内面に、下方を向くフックを取り付け、該フックを、側枠を構成する前後の縦杆の対向面に列設した受孔に挿入した受けピンに係止させることにより、前記サイドパネルを側枠に取り付けた請求項１または２記載の陳列棚。
【請求項４】
棚板の前面に挿入孔を設けて、これに前部縦杆の後面に突設した受けピンを挿入し、かつ棚板の後端部を、後部縦杆の前面に突設した受けピン上に載置した請求項１〜３のいずれかに記載の陳列棚。
【発明の詳細な説明】
【０００１】
【発明の属する技術分野】
本発明は、組立式の陳列棚、特に木製とするのに適した陳列棚に関する。
【０００２】
【従来の技術】
従来、組立式の陳列棚は、棚板等の高さ位置の設定、変更が容易であり、種々の組合せが簡単にできる有利性がある。最近は、木製のこのような組立式の陳列棚が、その素材感から求められて来ている。
【０００３】
【発明が解決しようとする課題】
このような木製の組立式のものの一例としては、実公昭59-23557号公報記載の組立家具があげられる。この組立家具では、止めピンを用いて縦枠に横枠を、また横枠に棚板を止め付けているが、この構造では、棚板の高さ位置の設定、変更には自由度がない。
【０００４】
本発明は、上述の問題点に鑑み、棚板等の高さ位置の設定、変更が容易であり、種々の組合せが簡単にでき、しかも構造的に強い陳列棚を提供することを目的としている。
【０００５】
【課題を解決するための手段】
本発明によると、上記課題は、次のようにして解決される。
(１) 側枠を構成する前後部の縦杆の対向面に複数の受孔を縦方向に列設し、前記１対の側枠の対向する受孔に同じ高さ位置において受けピンを嵌挿して前記前後部縦杆の対向面から突出させ、前記対向面の一方から突出する受けピンを、前記１対の側枠間に配設した棚板の前後いずれか一方の面に設けた挿入孔に挿入し、かつ前記対向面の他方のものから突出する受けピン上に、前記棚板の前後いずれか他方の端部を載置する。
【０００６】
(２) 上記(１)項において、側枠を後部縦杆を中心とした側面視対称形とし、前後両面をそれぞれ陳列面とする。
【０００７】
(３) 上記(１)または(２)項において、側枠の外側に取り付けるサイドパネルの内面に、下方を向くフックを取り付け、該フックを、側枠を構成する前後の縦杆の対向面に列設した受孔に挿入した受けピンに係止させることにより、前記サイドパネルを取り付ける。
【０００８】
(４) 上記(１)〜(３)項のいずれかにおいて、棚板の前面に挿入孔を設けて、これに前部縦杆の後面に突設した受けピンを挿入し、かつ棚板の後端部を、後部縦杆の前面に突設した受けピン上に載置する。
【０００９】
【発明の実施の形態】
図１は、本発明の陳列棚の一実施形態を途中まで組み立てた状態を示す。この実施形態は木製のもので、その前後面部両方に陳列面が形成されている。以下の説明では、前面部の構造を代表として詳述する。
【００１０】
図１に示すように、陳列棚は、左右１対の側枠(１)を有している。側枠(１)は、前部縦杆(２)と後部縦杆(３)とを、前後方向を向く複数の側部連結部材(４)により連結して枠構造としたものである。
後部縦枠(３)は、後面部の陳列面を構成する縦枠と共用されるので、前部縦枠(２)よりも大分太めの角材を使用している。
【００１１】
前部縦枠(２)及び後部縦枠(３)の対向する面には、いわゆるダボ孔である複数の受孔(５)が、左右２列として、上下方向に等間隔をもって穿設されている。前部縦枠(２)の受孔(５)については、後部の陳列面を構成する前部縦枠(２)を参照されたい。
【００１２】
これら左右１対の側枠(１)の後部縦杆(３)同士は、左右方向を向く複数の連結部材(６)により連結され、このようにして、前面を高さ方向全長にわたって大きく開放した構造体が形成される。
【００１３】
このような構造体に架設される木製の棚板(７)には、図２に示すようにその四隅下面に方形の切り欠き部(８)が設けられ、ここにピン係合金具(９)が嵌合して固定されている。
【００１４】
ピン係合金具(９)は、図３及び図４に示すように、板金を折り曲げて形成した底面開放の箱形の部材で、その前後の一方の面(後面)（図３参照）は、板金を上辺から切り放して開放され、他方の面(前面)（図４参照）は、上辺から折り曲げられて垂下する垂下片(9a)が形成され、垂下片(9a)の中央上部に挿入孔(10)が形成されている。また、上面には、取付用の孔(11)が穿設されている。
【００１５】
図２及び図６に示すように、ピン係合金具(９)を、棚板(７)の前側では挿入孔(10)が前面に露出するように前側として、凹部(８)内に嵌合し、止めねじ(12)により取り付け（図２の左側及び図６の右側参照）、棚板(７)の後側では、開放面が端面に露出するように挿入孔(10)を前側として、凹部(８)内に止めねじ(12)により取り付けられている（図２の右側及び図６の左側参照）。
【００１６】
棚板(７)の取り付けは、図５に示すように、前後部縦杆(２)(３)の所望の同じ高さ位置の受孔(５)に、いわゆるダボまたはダボピンをなす受けピン(13)を挿入して突設し、先ず棚板(７)の前端を矢印により示すように、後上方から前下方に向かって斜めに前部縦杆(２)に近づけて、ピン係合金具(９)の挿入孔(10)を、前部縦杆(２)の後面より突出する受けピン(13)に差し入れる。
【００１７】
次いで、棚板(７)の後縁部を、矢印により示すようにまっすぐに下方に下げて行き、後縁部のピン係合金具(９)の開放端面すなわち凹溝部を、後部縦杆(３)の受けピン(13)の上に被せて、ピン係合金具(９)の上片の下面に当接させる。この最終状態が図６に示されている。
この状態では、棚板(７)の前端部は、上下左右いずれの方向にも移動不能となるように前部縦杆(２)に係止されるとともに、棚板(７)の後端部は、左右方向移動不能となるように後部縦杆(３)に係止される。
なお、ピン係合金具(９)の開放端面は、受けピン(13)に跨嵌する逆Ｕ字状の切り欠きを下縁中央に設けた垂下片としても、同様な凹溝部を構成することができる。
【００１８】
このようにしていくつかの棚板(７)を取り付けると、図７に示す構造体となり、これらの棚板(７)は、縦杆、ことに前部縦杆(２)間を連結する強度メンバーとなるので、陳列棚の全体の構造的な強度を充分確保することができる。
なお、図７において、符号(14)は仕切板を示す。
【００１９】
図８〜図１０は、上述のような実施形態にサイドパネルを取り付ける構造を示すものである。
図８及び図９に示すように、サイドパネル(15)は、その裏面すなわち側枠(１)側の面に、下向きのフック(16)を備えている。この実施形態の場合、フック(16)は、サイドパネル(15)の上下の端部及び中間部の計６カ所に、内方すなわち側枠(１)側に突出するように設けられている。
【００２０】
これらのフック(16)に対応して、側枠(１)の対向する受孔(５)に受けピン(13)を挿入し、これらの受けピン(13)にフック(16)を引っかけることにより、サイドパネル(15)は側枠(１)に取り付けられている。
【００２１】
図１０は、図９に示す基本形のサイドパネル(15)に代えて取り付けることができる各種のサイドパネルを示す。（ａ）は、分割型のサイドパネル(17)を示し、（ｂ）は、角孔型のサイドパネル(18)で、外面にフック(19)が取り付けられる。（ｃ）は、木製シャッターパネル型のサイドパネル(20)で、外面にフック(21)が取り付けられる。さらに、（ｄ）はスリット型のサイドパネル(22)で、外面にミニバー(23)を取り付けることができる。
【００２２】
なお、ピン係合金具(９)の前後の向きをすべて反転して棚板(７)に取り付け、棚板(７)の取付要領を図５に示すものと前後逆として実施することもできる。この場合、左右の側枠(１)の前部縦杆(２)同士を連結部材(６)により連結し、後部縦杆(３)同士の連結は省略するのがよい。
【００２３】
【発明の効果】
請求項１記載の発明によると、棚板を架設することにより、棚板自体が強度メンバーとなって、陳列棚の左右の側枠同士が移動不能に連結され、陳列棚全体の強度が増す。したがって、側枠同士を連結する連結部材や天板、底板等を省略したり、または設ける個数を少なくすることができる。
【００２４】
請求項２記載の発明によると、後部縦杆を共通とする前面部及び後面部に棚板を取り付けることにより、一層強固で安定した構造体とすることができる。
【００２５】
請求項３記載の発明によると、棚板取付のための受孔及び受けピンを利用して、サイドパネルまでも簡単容易に取り付けることができる。
【００２６】
請求項４記載の発明によると、棚板の前部がはね上がることがなくなるので、誤って棚板の前部を持ち上げて、棚板上の載置物が倒れたり落下したりするおそれを防止することができる。
【図面の簡単な説明】
【図１】本発明の陳列棚の一実施形態を途中まで組み立てた状態で示す斜視図である。
【図２】同じく、陳列棚に取り付ける棚板を、そのピン係合金具とともに示す分解斜視図である。
【図３】図２に示すピン係合金具を後方より見た拡大斜視図である。
【図４】ピン係合金具を前方より見た拡大斜視図で、取り付けのための止めねじもともに示す図である。
【図５】棚板を取り付ける要領を説明する、陳列棚と棚板の部分拡大分解斜視図である。
【図６】取り付けられた棚板の部分拡大縦断側面図である。
【図７】棚板が取り付けられた陳列棚の斜視図である。
【図８】陳列棚にサイドパネルを取り付ける状況を示す斜視図である。
【図９】縦杆とサイドパネルとの取付状態を示す部分拡大縦断側面図である。
【図１０】各種のサイドパネルの斜視図である。
【符号の説明】
(１)側枠
(２)前部縦杆
(３)後部縦杆
(４)側部連結部材
(５)受孔
(６)連結部材
(７)棚板
(８)切り欠き部
(９)ピン係合金具
(9a)垂下片
(10)挿入孔
(11)孔
(12)止めねじ
(13)受けピン
(14)仕切板
(15)サイドパネル
(16)フック
(17)(18)サイドパネル
(19)フック
(20)サイドパネル
(21)フック
(22)サイドパネル
(23)フック
【図１】
0004094748.tif 000002
【図２】
0004094748.tif 000003
【図３】
0004094748.tif 000004
【図４】
0004094748.tif 000005
【図５】
0004094748.tif 000006
【図６】
0004094748.tif 000007
【図７】
0004094748.tif 000008
【図８】
0004094748.tif 000009
【図９】
0004094748.tif 000010
【図１０】
0004094748.tif 000011